(57)【要約】【課題】穿刺時に本体部の把持が不安定となり適切な穿刺動作が行われない場合があった。【解決手段】穿刺指３ａが挿入される穿刺孔１２と、穿刺孔１２の壁面に設けられた穿刺部１３と、穿刺部１３に装着される血液センサ３０と、血液センサ３０に対向して設けられたレーザ穿刺ユニット２５と、血液センサ３０に接続される測定回路部２６とを備え、穿刺孔１２の少なくとも一方に隣接して設けられるとともに、穿刺指３ａに隣接した非穿刺指３ｂ、３ｃを挿入して本体部１１を支持する支持孔１７が設けられたものである。これにより、所期の目的を達成することができる。【選択図】図１
2010099107.tif 000002
【特許請求の範囲】
【請求項１】
穿刺指が挿入される穿刺孔と、前記穿刺孔の壁面に設けられた穿刺部と、前記穿刺部に装着される血液センサと、前記血液センサに対向して設けられた穿刺手段と、前記血液センサに接続される測定回路部とを備え、前記穿刺孔の少なくとも一方に隣接して設けられるとともに、前記穿刺指に隣接した非穿刺指を挿入して本体部を支持する支持孔が設けられた血液検査装置。
【請求項２】
穿刺孔と支持孔との間隔が調整可能な請求項１に記載の血液検査装置。
【請求項３】
穿刺時には穿刺孔を開口するとともに、携帯時には前記穿刺孔を塞ぐ保護カバーが設けられた請求項１に記載の血液検査装置。
【請求項４】
支持孔が設けられた支持部材を備え、前記支持部材は保護カバーの動作と連動して携帯時には収納される請求項３に記載の血液検査装置。
【請求項５】
本体部に設けられた円弧状の溝と、保護カバーに回動自在に設けられた支持部材とを備え、前記支持部材に凸部を設けるとともに、この凸部が前記溝内をスライドする請求項４に記載の血液検査装置。
【請求項６】
保護カバーに設けられた第１の係止部と、本体部に設けられるとともに前記第１の係止部と挿抜自在に嵌合する第２の係止部と、前記本体部に一端が回動自在に設けられるとともに外側へ付勢された支持部材とを備え、前記保護カバーのスライドに連動して前記第１の係止部と、これに対応した前記第２の係止部とが嵌合する請求項４に記載の血液検査装置。
【請求項７】
異なる間隔を有する複数個の第１の係止部と、この第１の係止部に夫々対応した複数個の第２の係止部を有する請求項６に記載の血液検査装置。
【発明の詳細な説明】
【技術分野】
【０００１】
本発明は、血液検査装置に関するものであり、更に詳しくは安定した穿刺動作が可能な血液検査装置に関するものである。
【背景技術】
【０００２】
以下、従来の血液検査装置について説明する。図２５において、従来の血液検査装置１は、本体部２に設けられる穿刺指３ａ（図２６参照）が挿入される穿刺孔４と、この穿刺孔４の壁面に設けられた穿刺部５と、この穿刺部５に装着される血液センサ（図示せず）と、この血液センサに対向して設けられた穿刺手段（図示せず）と、前記血液センサに接続される測定回路部（図示せず）と、この測定回路部に接続された表示部６とで構成されていた。
【０００３】
以上のように構成された血液検査装置１を例えば図２６に示すように、左の手３で握り穿刺孔４へ穿刺指３ａとしての人差し指を挿入する。そして、穿刺ボタン（図示せず）を例えば親指で押下する。そうすると、穿刺手段により穿刺指３ａが穿刺される。穿刺された穿刺指３ａからは血液８（図示せず）が滲出する。滲出した血液８は血液センサに取り込まれ、この血液センサ内で化学反応をする。化学反応の結果は測定回路部へ伝達され血糖値が測定される。測定された血糖値は表示部６に表示される。
この出願の発明に関連する先行技術文献情報としては、例えば、特許文献１が知られている。
【特許文献１】特開２００８−６７７４３号公報
【発明の開示】
【発明が解決しようとする課題】
【０００４】
しかしながらこのような従来の血液検査装置１では、穿刺時に不安定となり適切な穿刺動作が行われない場合がある。即ち、穿刺指３ａを穿刺孔４へ挿入する訳であるが、穿刺時に穿刺指３ａが移動する可能性がある。穿刺指３ａが移動すると穿刺により滲出した血液８が血液センサに規定量取り込まれないことがある。血液８が規定量取り込まれないと精密な血液検査が行われないことになる。従って、精密な血液検査をするために、穿刺時においては穿刺指３ａを安定化させることが重要となる。
【０００５】
そこで本発明は、このような問題を解決したもので、安定した穿刺動作が行われる血液検査装置を提供することを目的としたものである。
【課題を解決するための手段】
【０００６】
この目的を達成するために本発明の血液検査装置は、穿刺孔の少なくとも一方に隣接して設けられるとともに、穿刺指に隣接した非穿刺指を挿入して本体部を支持する支持孔が設けられたものである。これにより、初期の目的を達成することができる。
【発明の効果】
【０００７】
以上のように本発明によれば、穿刺孔の少なくとも一方に隣接して設けられるとともに、穿刺指に隣接した非穿刺指を挿入して本体部を支持する支持孔が設けられたものであり、穿刺時に穿刺指に隣接した非穿刺指を支持孔に挿入して穿刺するので、穿刺時には穿刺指と非穿刺指とで本体部を支えることになる。従って、穿刺指は移動することはなく安定する。このことにより、滲出した血液は血液センサに安定して取り込むことができ、精密な血液検査を行うことができるという効果がある。
また、穿刺孔に隣接して設けられた支持孔に非穿刺指を挿入して本体部を支持するので、血液検査装置は確りと把持され落下することはない。
【発明を実施するための最良の形態】
【０００８】
（実施の形態１）
図１は、実施の形態１における血液検査措置１０の斜視図である。図１において、１１は楕円形をした本体部であり、その形状は手で握れる程度の大きさである。この本体部１１の一方（便宜的に上方という）には、血液８（図１４参照）を採取する穿刺指３ａ（図８、図２６参照）を挿入する穿刺孔１２が設けられている。この穿刺孔１２の下方の壁面には穿刺部１３が設けられている。
【０００９】
本体部１１の表面には液晶で形成された表示部１４が装着されている。また、本体部１１の上方には保護カバー１５が上下方向にスライド（摺動）自在に装着されている。この保護カバー１５のスライドに連動して２本の支持部材１６が収納・展出（突出）自在に設けられており、保護カバー１５が下方へスライドしたとき、本体部１１の裏面側に収納される。
【００１０】
また、保護カバー１５が上方へスライドしたとき、支持部材１６に設けられた支持孔１７が穿刺孔１２に隣接した位置に開くようになっている。この支持部材１６に設けられた支持孔１７は、穿刺時（保護カバー１５を上方へスライドさせたとき）には、穿刺指３ａに隣接した非穿刺指３ｂ、３ｃ（図８参照）が挿入されるようになっている。この保護カバー１５を下方にスライドさせると、この保護カバー１５で穿刺孔１２を塞ぎ、安全性を実現するとともに携帯時の小型化に寄与する。
【００１１】
図２は、保護カバー１５を下方へスライドさせたときの平面図である。この状態においては、穿刺孔１２は保護カバー１５で塞がれて保護されている。また、支持孔１７も本体部１１の裏面に収納されており、携帯に適した形状となっている。
【００１２】
図２（ａ）は、血液検査装置１０を表面側から見た平面図であり、保護カバー１５で穿刺孔１２が塞がれている。従って、誤って穿刺指３ａを穿刺孔１２へ挿入することはなく安全である。また、表示部１４は保護カバー１５により覆われることはないので、この状態において以前に測定した血糖値を確認することができる。
【００１３】
図２（ｂ）は、血液検査装置１０を側面側から見た平面図であり、支持部材１６は保護カバー１５の外側に設けられており、その分保護カバー１５の小型化が実現でき携帯に適した形状となる。
【００１４】
図２（ｃ）は、血液検査装置１０を裏面側から見た平面図であり、支持部材１６は本体部１１の裏面側に収納されている。従って、小型化が可能となり、携帯に適した形状となる。この状態において、支持部材１６は本体部１１の裏面に形成された円弧状の溝１８内をスライドして収納される。
【００１５】
図３は、保護カバー１５を上方へスライドさせたときの平面図である。この状態においては、穿刺孔１２は保護カバー１５で閉ざされることはなく開口している。従って、穿刺孔１２が塞がれることはなく、穿刺孔１２に穿刺指３ａを挿入することができる。また、支持孔１７も穿刺孔１２に隣接した位置にあるので、非穿刺指３ｂ、３ｃをこの支持孔１７へ挿入することができ、安定した穿刺動作が可能な状態となっている。
【００１６】
図３（ａ）は、血液検査装置１０を表面側から見た平面図であり、保護カバー１５は穿刺孔１２を開口している。従って、穿刺指３ａを穿刺孔１２へ挿入して穿刺することができる。
【００１７】
図２（ｂ）は、血液検査装置１０を側面側から見た平面図であり、支持部材１６は本体部１１と保護カバー１５外に設けられており、支持部材１６で本体部１１と保護カバー１５との間隔を規定している。
【００１８】
図２（ｃ）は、血液検査装置１０を裏面側から見た平面図であり、支持部材１６は穿刺孔１２の両側に夫々展出（突出）している。従って、穿刺時においては、非穿刺指３ｂ、３ｃをこの支持部材１６に形成された支持孔１７へ夫々挿入することができる。支持部材１６は、本体部１１の裏面に形成された円弧状の溝１８内をスライドする。このことにより、穿刺孔１２の左右側に夫々支持孔１７が展出して配置される。
【００１９】
図４は、支持部材１６の平面図である。図４（ａ）は、支持部材１６を正面側から見た平面図であり、楕円形部材１６ａで形成された支持孔１７と、楕円形部材１６ａの上方に形成された支持部１６ｂとから形成されている。支持部１６ｂの上端には係止爪１６ｃが設けられており、この係止爪１６ｃは保護カバー１５の下方の両隅に夫々係止される。
【００２０】
楕円形部材１６ａには３個（複数個）の調整用のネジ穴１６ｄが等間隔に形成されており、このネジ穴１６ｄの何れか一つに凸部１６ｅが装着される。この凸部１６ｅは、本体部１１の裏面に形成された溝１８内をスライドする。
【００２１】
図４（ｂ）は、支持部材１６を側面側から見た平面図であり、支持部１６ｂの上端には係止爪１６ｃが形成されるとともに、楕円形部材１６ａには凸部１６ｅが装着されている。
【００２２】
図５は、本体部１１を裏面側から見た平面図である。裏面の略中央から穿刺孔１２の両下辺に向かって円弧状の溝１８が左右に夫々設けられている。この溝１８の上端には夫々外向きに「Ｌ」の字型の水平部１８ａが形成されている。この水平部１８ａは、支持部材１６が上方へ移動したとき、この水平部１８ａで係止して保護カバー１５の下方向への移動を防止するものである。
【００２３】
即ち、図６に示すように、保護カバー１５を上方へ持ち上げると、溝１８内を凸部１６ｅがスライドして、支持部材１６を夫々外方向へ移動させる。支持部材１６が外方向へ移動させることにより、支持孔１７が穿刺孔１２に隣接して現れる。凸部１６ｅが水平部１８ａまで移動すると、凸部１６ｅが水平部１８ａを夫々の外方向（横方向）へ移動し、保護カバー１５の自重により下方向への移動を防止する。
【００２４】
支持部材１６は２個あり、その内１個の支持部材１６ｆは数字の「６」の字型をしている。この支持部材１６ｆは左側に装着されている。この支持部材１６ｂに形成された係止爪１６ｃが、保護カバー１５の左下に外方向へ付勢されて回動自在に装着されている。
【００２５】
また、他方の支持部材１６ｇは、本体部１１の中央垂線に対して対称型をした数字の「６」の字型をしている。この支持部材１６ｇは右側に装着されている。支持部１６ｂに形成された係止爪１６ｃが、保護カバー１５の右下に外方向へ付勢されて回動自在に装着されている。従って、水平部１８ａでは支持部材１６ｆと１６ｇは互いに外側へ付勢されて、保護カバー１５の自重により下方向への移動を防止する。
【００２６】
図７は、穿刺孔１２と支持孔１７の間隔の調整を説明するための平面図である。図７（ａ）は、穿刺孔１２と支持孔１７の間隔を広くする場合である。図７（ａ）に示すように、穿刺孔１２と支持孔１７の間隔を広くするには、凸部１６ｅ（図４（ａ）参照）を楕円形部材１６ａに形成されたネジ穴１６ｄの内、上方に設けられたネジ穴１６ｄに凸部１６ｅを装着することにより実現できる。上方に設けられたネジ穴１６ｄに凸部１６ｅを装着する程、穿刺孔１２と支持孔１７の間隔を広くすることができる。
【００２７】
図７（ｂ）は、穿刺孔１２と支持孔１７の間隔を狭くする場合である。穿刺孔１２と支持孔１７の間隔を狭くするには、凸部１６ｅを楕円形部材１６ａに形成されたネジ穴１６ｄの内、下方に設けられたネジ穴１６ｄに凸部１６ｅを装着することにより実現できる。下方に設けられたネジ穴１６ｄに凸部１６ｅを装着する程、穿刺孔１２と支持孔１７の間隔を狭くすることができる。
【００２８】
図８は、血液検査装置１０を左の手３で把持した場合の斜視図である。即ち、図８に示すように、穿刺指３ａ（図８では中指）を穿刺孔１２に挿入する。一方の非穿刺指３ｂ（図８では人差し指）を支持部材１６ｇに形成された支持孔１７に挿入する。また、他方の非穿刺指３ｃ（図８では薬指）を支持部材１６ｆに形成された支持孔１７に挿入する。
【００２９】
ここで、穿刺孔１２と支持孔１７の間隔は調整することができるので、患者の手３の大きさに応じて適宜調整をすることができる。また、穿刺指３ａに隣接する非穿刺指３ｂ、３ｃも支持部材１６ｆの支持孔１７と、支持部材１６ｇの支持孔１７へ夫々挿入するので、穿刺部１３への穿刺指３ａの装着が安定する。
【００３０】
従って、穿刺により滲出した血液８は、血液センサ３０（図１４参照）に安定して取り込むことができ、精密な血液８の検査を行うことができる。また、穿刺孔１２に隣接して設けられた支持孔１７に非穿刺指３ｂ、３ｃを挿入して本体部１１を支持するので、血液検査装置１０は確りと把持され落下することはない。
【００３１】
穿刺に際しては、穿刺指３ａで穿刺部１３を押圧することにより穿刺される。即ち、図９に示すように、穿刺部１３は、穿刺スイッチ２５ｄが含まれており、穿刺部１３を押圧することにより、穿刺スイッチ２５ｄがオンされる。
【００３２】
図１０は、血液検査装置１０を構成する本体部１１の断面図である。本体部１１の外形は楕円形をしており、その上部には穿刺孔１２が形成されている。穿刺孔１２の下辺の壁面には穿刺部１３が設けられており、この穿刺部１３には、血液センサ３０が着脱自在に装着される。また、この穿刺部１３は、穿刺スイッチ２５ｄも兼ねている。
【００３３】
穿刺部１３に対向してレーザ穿刺ユニット２５（穿刺手段の一例として用いた）が装着されている。このレーザ穿刺ユニット２５を挟んで測定回路部２６と高電圧発生回路２７が収納されている。本体部１１の下方には、これ等の回路に電源を供給する電池２８が着脱自在に挿入されている。なお、本実施の形態では、穿刺手段としてレーザ穿刺ユニット２５を用いたが、これは穿刺針を用いる針穿刺ユニットであっても良い。
【００３４】
図１１は、穿刺部１３に装着される血液センサ３０の断面図である。この血液センサ３０は、基板３１と、この基板３１の上面に貼り合わされたスペーサ３２と、このスペーサ３２の上面に貼り合わされたカバー３３とで構成されている。
【００３５】
３４は、血液８の貯留部であり、この貯留部３４は、基板３１の略中央に形成された基板孔３１ａと、スペーサ３２に形成されたスペーサ孔３２ａと、カバー３３に形成されたカバー孔３３ａとが連通して形成されている。
【００３６】
３５は、この貯留部３４に一方の端が連結された血液８の供給路であり、貯留部３４に溜められた血液８を毛細管現象で一気に検出部３７へ導く路である。また、この供給路３５の他方の端は空気孔３８に連結している。貯留部３４の容積は０．９０４μＬであり、供給路３５の容積は０．１４４μＬとしている。
【００３７】
４０は、検出部３７上に載置された試薬である。この試薬４０は、０．０１〜２．０ｗｔ％ＣＭＣ水溶液に、ＰＱＱ−ＧＤＨを０．１〜５．０Ｕ／センサ、フェリシアン化カリウムを１０〜２００ｍＭ、マルチトールを１〜５０ｍＭ、タウリンを２０〜２００ｍＭ添加して融解させて試薬溶液を調整し、これを基板３１に形成された検出部３７を構成する検出電極４１，４３（図１２参照）上に滴下し、乾燥させることで形成したものである。
基板３１の上面には金、白金、パラジウム等を材料として、スパッタリング法或いは蒸着法により導電層を形成し、これをレーザ加工により検出電極４１〜４５（図１２参照）と、この検出電極４１〜４５から夫々導出された接続電極４１ａ〜４６ａが一体的に形成されている。
【００３８】
図１２は、血液センサ３０の透視平面図であり、一方の端には、接続電極４１ａ〜４６ａが形成されている。接続電極４３ａと接続電極４６ａとの間に、導電体パターンで形成された識別部４６が形成されている。
【００３９】
３４は、血液センサ３０の略中央に設けられた血液８の貯留部であり、この貯留部３４に一方の端が接続された供給路３５が検出電極４２に向かって設けられている。そして、この供給路３５の他方の端は空気孔３８に連結している。この供給路３５上には、貯留部３４側から順に接続電極４４ａに接続された検出電極４４と、接続電極４５ａに接続された検出電極４５と、接続電極４３ａに接続された検出電極４３と、接続電極４１ａに接続された検出電極４１と、接続電極４２ａに接続された検出電極４２が設けられている。また、検出電極４１，４３上には、試薬４０（図１１参照）が載置される。
【００４０】
接続電極４３ａと接続電極４６ａ間の電気的な導通があるか無いかで、血液センサ３０が穿刺部１３に装着されたか否かを識別することができる。即ち、この血液センサ３０を穿刺部１３に載置したとき、接続電極４３ａと接続電極４６ａ間の電気的な導通を検知することにより、血液センサ３０が確実に穿刺部１３に装着されたか否かを検知することができる。
【００４１】
また、識別部４６の電気抵抗値を変えることにより、使用する検量線の情報を格納したり、製造情報を格納することが可能となる。従って、これらの情報を用いて、より精密な血液検査を行なうことができる。図１３は、長方形状をするとともに板体で形成された血液センサ３０の斜視図である。
【００４２】
以上のように構成されているので、貯留部３４に血液８を付着すると、この血液８は供給路３５内を毛細管現象で、検出電極４５，４３を順に通過して検出電極４２上へ導かれる。血液８が検出電極４２へ導かれることにより、検出電極４２より手前にある検出部３７を構成する検出電極４１，４３へ十分な血液８が到達していることを知ることができる。この血液８は、試薬４０と反応する。その反応結果は接続電極４１ａ、４３ａに導かれる。
【００４３】
図１４は、レーザ穿刺ユニット２５と、このレーザ穿刺ユニット２５に高電圧を供給する高電圧発生回路２７のブロック図である。高電圧発生回路２７は、電池２８に接続された昇圧回路２７ａと、この昇圧回路２７ａの出力に接続されたコンデンサ２７ｂと、このコンデンサ２７ｂに接続されたトリガスイッチ２７ｃと、このトリガスイッチ２７ｃの出力に接続されたトリガ回路２７ｄとで構成されている。また、コンデンサ２７ｂの両端は、レーザ穿刺ユニット２５を構成する発光ランプ２５ｂの両電極に接続されており、トリガ回路２７ｄの出力は発光ランプ２５ｂのトリガ電極に接続されている。コンデンサ２７ｂは、静電容量４５０マイクロファラッドで耐圧３５０Ｖのものを用い、トリガスイッチ２７ｃにはＩＧＢＴ（絶縁ゲートバイポーラトランジスタ）を用いている。このトリガスイッチ２７ｃは、図９で示した穿刺スイッチ２５ｄの出力でオン・オフが制御される。
【００４４】
レーザ穿刺ユニット２５は、発光ランプ２５ｂと、この発光ランプ２５ｂの近傍に設けられるとともにＥｒ：ＹＡＧ（イットリウム・アルミニウム・ガーネット）で形成されたレーザロット２５ｃと、このレーザロット２５ｃの前方に設けられたレンズ２５ｆとで構成されている。また、レーザロット２５ｃの後端には全反射鏡２５ｇが装着されるとともに前方には部分透過鏡２５ｈが装着されている。
【００４５】
次に、レーザ穿刺ユニット２５の動作を説明する。電池２８から供給された電圧は、昇圧回路２７ａで昇圧されてコンデンサ２７ｂを充電する。この充電電圧は外部から昇圧回路２７ａの制御が可能であり、この充電電圧の制御で穿刺深さを制御することができる。コンデンサ２７ｂに充電された電圧は発光ランプ２５ｂの両電極に供給される。この電圧が予め定められた電圧（３００Ｖ以上）まで昇圧された後、穿刺スイッチ２５ｄ（穿刺部１３）を押圧する。すると、０．５秒後トリガ回路２７ｄが働き、発光ランプ２５ｂが発光する。発光ランプ２５ｂの発光により、レーザロット２５ｃ内のＥｒ：ＹＡＧが励起されてレーザ光が発生する。このレーザ光は、全反射鏡２５ｇと部分透過鏡２５ｈ内を往復するうちに増幅され、その一部は部分透過鏡２５ｈを透過してレーザロット２５ｃ外へ出力される。レーザロット２５ｃ外へ出力されたレーザ光２５ｅは、レンズ２５ｆと血液センサ３０を通過して穿刺指３ａの皮膚３ｄを穿刺する。皮膚３ｄからは血液８が滲出する。
【００４６】
図１５は、測定回路部２６とその周辺のブロック図である。図１５において、血液センサ３０の接続電極４１ａ〜４５ａは、穿刺部１３に設けられたコネクタ２９（図示せず）の接点２９ａ〜２９ｅを介して切換回路２６ａに接続されている。この切換回路２６ａの出力は、電流／電圧変換器２６ｂの入力に接続されている。そして、その出力はアナログ／デジタル変換器（以後、Ａ／Ｄ変換器という）２６ｃを介して演算部２６ｄの入力に接続されている。この演算部２６ｄの出力は、液晶で形成された表示部１４と送信部２６ｅに接続されている。また、切換回路２６ａには基準電圧源２６ｆが接続されている。
【００４７】
２６ｇは制御部であり、この制御部２６ｇの出力は、レーザ穿刺ユニット２５に接続された高電圧発生回路２７と、切換回路２６ａの制御端子と、演算部２６ｄと、送信部２６ｅとに接続されている。また、制御部２６ｇの入力には、穿刺スイッチ２５ｄと、タイマ２６ｋと、接点２９ｆ（接続電極４６ａに対応する接点）が接続されている。
【００４８】
次に、血糖値の測定について説明する。先ず、穿刺スイッチ２５ｄを押下すると、制御部２６ｇは高電圧発生回路２７のトリガスイッチ２７ｃをオンする。トリガスイッチ２７ｃがオンされると、レーザ穿刺ユニット２５からレーザ光２５ｅが発射され皮膚３ｄを穿刺する。皮膚３ｄの穿刺により皮膚３ｄからは血液８が滲出する。そして、この滲出した血液８の測定を行う。
【００４９】
測定動作は、切換回路２６ａを切換えて、検出電極４１を電流／電圧変換器２６ｂに接続する。また、血液８の流入を検知するための検知極となる検出電極４２を基準電圧源２６ｆに接続する。そして、検出電極４１及び検出電極４２間に一定の電圧を印加する。
【００５０】
この状態において、血液８が流入すると、検出電極４１，４２間に電流が流れる。この電流は、電流／電圧変換器２６ｂによって電圧に変換され、その電圧値はＡ／Ｄ変換器２６ｃによってデジタル値に変換される。そして、演算部２６ｄに向かって出力される。演算部２６ｄはそのデジタル値に基づいて血液８が十分に流入したことを検出する。
【００５１】
次に、血液成分であるグルコースの測定が行なわれる。グルコース成分量の測定は、先ず、制御部２６ｇの指令により、切換回路２６ａを切換えて、グルコース成分量の測定のための作用極となる検出電極４１を電流／電圧変換器２６ｂに接続する。また、グルコース成分量の測定のための対極となる検出電極４３を基準電圧源２６ｆに接続する。
【００５２】
そうすると、検出電極４１，４３間に電流が流れる。この電流は電流／電圧変換器２６ｂによって電圧に変換され、その電圧値はＡ／Ｄ変換器２６ｃによってデジタル値に変換される。そして、演算部２６ｄに向かって出力される。演算部２６ｄではそのデジタル値を基にグルコース成分量に換算する。
【００５３】
グルコース成分量の測定後、Ｈｃｔ値の測定が行なわれる。Ｈｃｔ値の測定は次のように行なわれる。先ず、制御部２６ｇからの指令により切換回路２６ａを切換える。そして、Ｈｃｔ値の測定のための作用極となる検出電極４５を電流／電圧変換器２６ｂに接続する。また、Ｈｃｔ値の測定のための対極となる検出電極４１を基準電圧源２６ｆに接続する。
【００５４】
次に、制御部２６ｇの指令により、電流／電圧変換器２６ｂ及び基準電圧源２６ｆから検出電極４５と４１間に一定の電圧を印加する。検出電極４５と４１間に流れる電流は、電流／電圧変換器２６ｂによって電圧に変換され、その電圧値はＡ／Ｄ変換器２６ｃによってデジタル値に変換される。そして演算部２６ｄに向かって出力される。演算部２６ｄはそのデジタル値に基づいてＨｃｔ値に換算する。
【００５５】
この測定で得られたＨｃｔ値とグルコース成分量を用い、予め求めておいた検量線または検量線テーブルを参照して、グルコース成分量をＨｃｔ値で補正し、その補正された結果を表示部１４に表示する。何れの検量線または検量線テーブルを用いるかは、血液センサ３０内の識別部４６に基づいて決定する。
【００５６】
以上、グルコースの測定を例に説明したが、血液センサ３０の試薬４０を交換して、グルコースの測定の他に乳酸値やコレステロールの血液成分の測定にも適用できる。
【００５７】
図１６は、血液検査装置１０の動作フローチャートである。図１６において、点線５０より左側５０ａは患者の操作であり、右側５０ｂは血液検査装置１０内の動作である。図１６において、先ず、ステップ５１において患者は血液検査装置１０を把持する。そして、ステップ５２へ移行し、保護カバー１５を上方へスライドさせる。保護カバー１５を上方へスライドすると穿刺部１３が現れる。そこで、ステップ５３へ移行し、穿刺部１３に新しい血液センサ３０を装着する。
【００５８】
次に、ステップ５４へ移行し、穿刺孔１２に穿刺指３ａを挿入し、支持孔１７に非穿刺指３ｂ、３ｂを挿入する。そして、ステップ５５へ移行し、穿刺指３ａで穿刺部１３を押下する。穿刺部１３の押下により穿刺スイッチ２５ｄがオンする。
【００５９】
穿刺スイッチ２５ｄがオンするとステップ５６へ移行し、レーザ穿刺ユニット２５からはレーザ光２５ｅが放射される。このレーザ光２５ｅは穿刺指３ａの皮膚３ｄを穿刺する。皮膚３ｄが穿刺されると、皮膚３ｄからは血液８が滲出する。この血液８は、血液センサ３０内に取り込まれ、試薬４０と反応する。この反応結果はステップ５７へ移行して測定回路部２６で血糖値が計算される。計算された結果は、ステップ５８で表示部１４に表示される。
【００６０】
（実施の形態２）
実施の形態２は、本体部６１（実施の形態１における本体部１１に該当）と保護カバー６２（実施の形態１における保護カバー１５に該当）との間に支持部材６３（実施の形態１における支持部材１６に該当）が収納される点で実施の形態１と相違する。従って、携帯時に支持部材６３が突出することはないので、ポケット内に収納して持ち運ぶ場合に、支持部材６３がポケットに引っ掛かるようなことはない。なお、実施の形態１と同じ物については同符号を付し、説明を簡略化している。
【００６１】
図１７は、保護カバー６２を下方へスライドさせたときの平面図である。この状態においては、穿刺孔１２は保護カバー６２で塞がれて保護されている。また、支持孔６４（実施の形態１における支持孔１７に該当）も保護カバー６２内に収納されており、携帯に適した形状となっている。
【００６２】
図１７（ａ）は、血液検査装置６０（実施の形態１における血液検査装置１０に該当）を表面側から見た平面図であり、保護カバー６２で穿刺孔１２を塞いでいる。従って、誤って、穿刺指３ａを穿刺孔１２へ挿入することはなく安全である。また、表示部１４は保護カバー６２により覆われることはないので、この状態において以前に測定した血糖値を確認することができる。
【００６３】
図１７（ｂ）は、血液検査装置６０を側面側から見た平面図である。支持部材６３は本体部６１と保護カバー６２との間に設けられており、ポケット内に収納して持ち運ぶ場合に、支持部材６３がポケットに引っ掛かるようなことはなく携帯に適した形状である。
【００６４】
図１７（ｃ）は、血液検査装置６０を裏面側から見た平面図であり、支持部材６３は本体部６１の裏面と保護カバー６２の間に収納されている。従って、小型化が可能となる。
【００６５】
図１８は、保護カバー６２を上方へスライドさせたときの平面図である。この状態においては、穿刺孔１２は保護カバー６２で閉ざされることはなく開口している。従って、穿刺孔１２が塞がれることはなく、穿刺孔１２に穿刺指３ａを挿入して穿刺することができる。また、支持孔６４も穿刺孔１２に隣接した位置にあるので、非穿刺指３ｂ、３ｃをこの支持孔６４へ挿入することができる。従って、安定した穿刺が可能となる。
【００６６】
図１８（ａ）は、血液検査装置６０を表面側から見た平面図であり、保護カバー６２は穿刺孔１２を開口している。従って、穿刺指３ａを穿刺孔１２へ挿入して穿刺することができる。
【００６７】
図１８（ｂ）は、血液検査装置６０を側面側から見た平面図であり、支持部材６３は本体部６１と保護カバー６２との間に設けられている。
【００６８】
図１８（ｃ）は、血液検査装置６０を裏面側から見た平面図であり、支持部材６３は穿刺孔１２の両側に夫々展出（突出）している。従って、非穿刺指３ｂ、３ｃをこの支持部材６３に形成された支持孔６４へ夫々挿入することができ、安定した状態での穿刺をすることができる。
【００６９】
図１９は、支持部材６３の平面図である。図１９（ａ）は、支持部材６３を正面側から見た平面図であり、半円形部材６３ａで形成された支持孔６４と、半円形部材６３ａの上方に形成された支持部６３ｂとから形成されている。支持部６３ｂの上端には係止爪６３ｃが形成されており、この係止爪６３ｃは本体部６１の上端に夫々係止される。
【００７０】
図１９（ｂ）は、支持部材６３を側面側から見た平面図であり、支持部６３ｂの上端には係止爪６３ｃが形成されている。
【００７１】
図２０は、血液検査装置６０を表面側から見た平面図である。以後、実施の形態２における支持孔６４の調整について述べる。本体部６１の上方は、保護カバー６２で覆われた状態（携帯時の状態）である。保護カバー６２の表面側には複数個の調整用孔６５（第１の係止部の一例として用いた）が設けられている。
【００７２】
６５ａは、保護カバー６２下辺中央に設けられた調整用孔であり、この調整用孔６５ａに対して対称の位置に調整用孔６５ｂ、６５ｃが設けられている。また、調整用孔６５ａに対して対称の位置に調整用孔６５ｄ、６５ｅが設けられている。
【００７３】
図２１は、本体部６１を表面側から見た平面図である。本体部６１の上方は、穿刺孔１２が設けられており、この穿刺孔１２の周辺には複数個の調整用凸部６６（第２の係止部の一例として用いた）が設けられている。
【００７４】
６６ａは、穿刺孔１２の周辺上方中央に設けられた調整用凸部であり、この調整用凸部６６ａに対して対称の位置に調整用凸部６６ｂ、６６ｃが設けられている。また、調整用凸部６６ａに対して対称の位置に調整用凸部６６ｄ、６６ｅが設けられている。
【００７５】
図２２は、調整用孔６５（６５ａ〜６５ｅ）と調整用凸部６６（６６ａ〜６６ｅ）の断面図である。夫々対応する調整用孔６５と調整用凸部６６は、挿抜自在に嵌合するようになっている。
【００７６】
即ち、図２０、図２１において、最初は調整用凸部６６ｄと調整用孔６５ｄ及び、調整用凸部６６ｅと調整用孔６５ｅとが夫々嵌合している。次に、保護カバー６２を上方へスライドさせると、調整用凸部６６ｂと調整用孔６５ｂ及び、調整用凸部６６ｃと調整用孔６５ｃとが夫々嵌合する。更に、保護カバー６２を上方へスライドさせると、調整用凸部６６ａと調整用孔６５ａとが嵌合する。また、保護カバー６２を下方へスライドさせる場合は、保護カバー６２と本体部６１の係止関係はこの逆の順に嵌合する。このようにして、保護カバー６２は夫々に位置で係止される。なお、調整用孔６５を本体部６１側に設け、調整用凸部６６を保護カバー６２側に設けても良い。
【００７７】
図２３は、血液検査装置６０を裏面側から見た平面図であり、保護カバー６２を上方へスライドして穿刺孔１２が現れている（開口している）状態である。
【００７８】
本体部６１の裏面側上端には、２個の支持部材６３ｆ、６３ｇが装着されている。この支持部材６３ｆ、６３ｇは、夫々外方（矢印６７ａ、６７ｂ方向）へばねで付勢されている。従って、支持部材６３ｆ、６３ｇの半円形部材６３ａ部は常に保護カバー６２の両下端６２ａ、６２ｂへ常に当接している。従って、保護カバー６２を上下方向へスライドさせると、支持部材６３ｆ、６３ｇは保護カバー６２の両下端６２ａ、６２ｂに当接しながらスライドすることになる。即ち、保護カバー６２の上下方向のスライドに対応して、支持孔６４間の間隔が調整されることになる。
【００７９】
図２４は、穿刺孔１２と支持孔６４間の間隔調整を説明するための平面図である。図２４（ａ）は、穿刺孔１２と支持孔６４の間隔を広くする場合である。この場合、本体部６１に形成された調整用凸部６６ａ（図２１参照）と保護カバー６２に形成された調整用孔６５ａ（図２０参照）とが夫々嵌合している。
【００８０】
この状態では、保護カバー６２は最も上方へ移動しているので、支持部材６３ｆ、６３ｇは最も開き（外側へ突出し）、穿刺孔１２と支持孔６４の間隔は最も広くなる。
【００８１】
図２４（ｂ）は、穿刺孔１２と支持孔６４の間隔を狭くする場合である。この場合、本体部６１に形成された調整用凸部６６ｂと保護カバー６２に形成された調整用孔６５ｂ及び、本体部６１に形成された調整用凸部６６ｃと保護カバー６２に形成された調整用孔６５ｃとが夫々嵌合している。
【００８２】
この場合、保護カバー６２は中間位置へ移動しているので、支持部材６３ｆ、６３ｇも中間の間隔となり、穿刺孔１２と支持孔６４の間隔も中間となる。このようにして、保護カバー６２のスライド位置により、穿刺孔１２と支持孔６４間の間隔を調整することができる。
【００８３】
更に、図示してはいないが、保護カバー６２を最下方（携帯状態）まで下ると、穿刺孔１２は保護カバー６２で塞がれ、本体部６１に形成された調整用凸部６６ｄと保護カバー６２に形成された調整用孔６５ｄ及び、本体部６１に形成された調整用凸部６６ｅと保護カバー６２に形成された調整用孔６５ｅとが夫々嵌合して停止する。即ち、携帯に便利な状態となる。
【産業上の利用可能性】
【００８４】
本発明にかかる血液検査装置は、安定した穿刺動作が可能であるので、血液検査装置として有用である。
【図面の簡単な説明】
【００８５】
【図１】本発明の実施の形態１における血液検査装置の斜視図
【図２】同保護カバーを下方へスライドさせたときの平面図、（ａ）は同表面側から見た平面図、（ｂ）は同側面側から見た平面図、（ｃ）は同裏面側から見た平面図
【図３】同保護カバーを上方へスライドさせたときの平面図、（ａ）は同表面側から見た平面図、（ｂ）は同側面側から見た平面図、（ｃ）は同裏面側から見た平面図
【図４】同支持部材の平面図、（ａ）は同正面側から見た平面図、（ｂ）は同側面側から見た平面図
【図５】同本体部を裏面側から見た平面図
【図６】同血液検査装置を裏面側から見た平面図
【図７】同血液検査装置の調整を説明するための平面図、（ａ）は同第１の調整状態の平面図、（ｂ）は同第２の調整状態の平面図
【図８】同血液検査装置の使用状態の斜視図
【図９】同血液検査装置を構成する本体部の要部平面図
【図１０】同血液検査装置を構成する本体部の断面図
【図１１】同血液検査装置に使用する血液センサの断面図
【図１２】同透視平面図
【図１３】同斜視図
【図１４】同レーザ穿刺ユニットと高電圧発生回路のブロック図
【図１５】同測定回路部とその周辺のブロック図
【図１６】同血液検査装置の動作フローチャート
【図１７】同実施の形態２における血液検査装置の保護カバーを下方へスライドさせたときの平面図、（ａ）は同表面側から見た平面図、（ｂ）は同側面側から見た平面図、（ｃ）は同裏面側から見た平面図
【図１８】同保護カバーを上方へスライドさせたときの平面図、（ａ）は同表面側から見た平面図、（ｂ）は同側面側から見た平面図、（ｃ）は同裏面側から見た平面図
【図１９】同支持部材の平面図、（ａ）は同正面側から見た平面図、（ｂ）は同側面側から見た平面図
【図２０】同血液検査装置を表面側から見た平面図
【図２１】同本体部を表面側から見た平面図
【図２２】同要部を構成する調整用孔と調整用凸部の断面図
【図２３】同血液検査装置を裏面側から見た平面図
【図２４】同血液検査装置の調整を説明するための平面図、（ａ）は同第１の調整状態の平面図、（ｂ）は同第２の調整状態の平面図
【図２５】従来の血液検査装置の斜視図
【図２６】同使用状態の斜視図
【符号の説明】
【００８６】
３ａ    穿刺指
３ｂ    非穿刺指
３ｃ    非穿刺指
１０    血液検査装置
１１    本体部
１２    穿刺孔
１３    穿刺部
１７    支持孔
２５    レーザ穿刺ユニット
２６    測定回路部
３０    血液センサ
【図１】
2010099107.tif 000003
【図２】
2010099107.tif 000004
【図３】
2010099107.tif 000005
【図４】
2010099107.tif 000006
【図５】
2010099107.tif 000007
【図６】
2010099107.tif 000008
【図７】
2010099107.tif 000009
【図８】
2010099107.tif 000010
【図９】
2010099107.tif 000011
【図１０】
2010099107.tif 000012
【図１１】
2010099107.tif 000013
【図１２】
2010099107.tif 000014
【図１３】
2010099107.tif 000015
【図１４】
2010099107.tif 000016
【図１５】
2010099107.tif 000017
【図１６】
2010099107.tif 000018
【図１７】
2010099107.tif 000019
【図１８】
2010099107.tif 000020
【図１９】
2010099107.tif 000021
【図２０】
2010099107.tif 000022
【図２１】
2010099107.tif 000023
【図２２】
2010099107.tif 000024
【図２３】
2010099107.tif 000025
【図２４】
2010099107.tif 000026
【図２５】
2010099107.tif 000027
【図２６】
2010099107.tif 000028